(57)【要約】ローミング中の移動局の測位をサポートする手法が説明される。ローミング中の移動局は、訪問先のネットワークと通信し、ホームネットワークに対するデータ接続を有する。移動局は、測位支援に対する要求を、ホームネットワークにおけるホーム位置決定エンティティ（ＩＩ−ＰＤＥ）へ送る。ＩＩ−ＰＤＥは、移動局に適用可能な基地局アルマナック（ＢＳＡ）データがローカルに利用可能でないと決定し、移動局についての位置情報に対する要求を、指定されたネットワークエンティティへ送る。このエンティティは、異なるネットワークについてのＢＳＡデータを記憶するＢＳＡであってもよいし、訪問先のネットワークにおける訪問先のＰＤＥ（Ｖ−ＰＤＥ）であってもよい。Ｈ−ＰＤＥは、位置情報（例えば、ＢＳＡデータ、支援データ、および／または移動局についての位置推定値）を、指定されたネットワークエンティティから受信し、当該受信された位置情報に基づいて、測位支援を移動局に提供する。
2010502133.tif 000002
【特許請求の範囲】
【請求項１】
測位支援に対する第１の要求を、訪問先のネットワークと通信している移動局から受信するように、前記移動局に適用可能な基地局アルマナック（ＢＳＡ）データがホームネットワークにおいてローカルに利用可能でないと決定するように、前記移動局についての位置情報に対する第２の要求を、指定されたネットワークエンティティへ送るように、前記移動局についてのＢＳＡデータ、衛星測位システム（ＳＰＳ）支援データ、および位置推定値、のうちの少なくとも１つを備える前記移動局についての位置情報を、前記指定されたネットワークエンティティから受信するように、そして、前記受信された位置情報に基づいて、測位支援を前記移動局に提供するように、構成された少なくとも１つのプロセッサと、
前記少なくとも１つのプロセッサに結合されたメモリと、
を備える装置。
【請求項２】
前記少なくとも１つのプロセッサは、前記移動局から前記第１の要求におけるシステムパラメータ情報を受信するように、そして、前記システムパラメータ情報に基づいて、前記移動局に適用可能なＢＳＡデータがローカルに利用可能でないと決定するように、構成されている、請求項１に記載の装置。
【請求項３】
前記システムパラメータ情報は、前記訪問先のネットワークのシステム識別（ＳＩＤ）と、ネットワーク識別（ＮＩＤ）とを備える、請求項２に記載の装置。
【請求項４】
前記少なくとも１つのプロセッサは、前記ホームネットワークにおけるホーム位置決定エンティティ（Ｈ−ＰＤＥ）にて前記第１の要求を受信するように、そして、前記移動局についてのＢＳＡデータに対する前記第２の要求を、前記指定されたネットワークエンティティとして動作するＢＳＡサーバへ送るように、構成されており、前記ＢＳＡサーバは、前記訪問先のネットワークを含む複数のネットワークについてのＢＳＡデータを記憶する、請求項１に記載の装置。
【請求項５】
前記メモリは、ＢＳＡデータが前記ＢＳＡサーバから利用可能なＳＩＤｓの表を記憶するように構成されており、そして、前記少なくとも１つのプロセッサは、前記ＳＩＤｓの表に基づいて、前記移動局に適用可能なＢＳＡデータがローカルに利用可能でないと決定するように構成されている、請求項４に記載の装置。
【請求項６】
前記少なくとも１つのプロセッサは、前記ＢＳＡサーバによる記憶および配布のために、前記ホームネットワークについてのＢＳＡデータを前記ＢＳＡサーバに提供するように構成されている、請求項４に記載の装置。
【請求項７】
前記少なくとも１つのプロセッサは、前記ホームネットワークにおけるホーム位置決定エンティティ（Ｈ−ＰＤＥ）にて前記第１の要求を受信するように、そして、前記指定されたネットワークエンティティとして動作する訪問先のＰＤＥ（Ｖ−ＰＤＥ）へ前記第２の要求を送るように、構成されている、請求項１に記載の装置。
【請求項８】
前記メモリは、ＢＳＡデータが利用可能でないＳＩＤｓおよび位置情報が獲得可能なＰＤＥｓの表を記憶するように構成されており、また、前記少なくとも１つのプロセッサは、前記ＳＩＤｓの表に基づいて、前記移動局に適用可能なＢＳＡデータがローカルに利用可能でないと決定するように、そして、前記Ｖ−ＰＤＥに、前記第２の要求を送ることを決定させるように、構成されている、請求項７に記載の装置。
【請求項９】
前記少なくとも１つのプロセッサは、前記ホームネットワークにおけるホーム位置決定エンティティ（Ｈ−ＰＤＥ）にて前記第１の要求を受信するように、前記第１の要求を前記第２の要求として、前記指定されたネットワークエンティティとして機能する訪問先のＰＤＥ（Ｖ−ＰＤＥ）へ転送するように、そして、前記Ｖ−ＰＤＥから受信された前記位置情報を前記移動局へ転送するように、構成されている、請求項１に記載の装置。
【請求項１０】
前記少なくとも１つのプロセッサは、前記第２の要求内にある前記移動局のサービス提供セクタについての情報を提供するように、そして、前記サービス提供セクタのみについてのＢＳＡデータを前記指定されたネットワークエンティティから受信するように、構成されている、請求項１に記載の装置。
【請求項１１】
前記少なくとも１つのプロセッサは、前記第２の要求内にある前記移動局のサービス提供セクタについての情報を提供するように、そして、前記サービス提供セクタおよび少なくとも１つの隣接セクタについてのＢＳＡデータを前記指定されたネットワークエンティティから受信するように、構成されている、請求項１に記載の装置。
【請求項１２】
前記少なくとも１つのプロセッサは、前記移動局に適用可能なＢＳＡデータを前記指定されたネットワークエンティティから受信するように、前記受信されたＢＳＡデータに基づいて、前記移動局についてのＳＰＳ支援データを決定するように、そして、前記ＳＰＳ支援データを前記移動局に提供するように、構成されている、請求項１に記載の装置。
【請求項１３】
前記少なくとも１つのプロセッサは、前記移動局についてのＳＰＳ支援データを前記指定されたネットワークエンティティから受信するように、そして、前記ＳＰＳ支援データを前記移動局に提供するように、構成されている、請求項１に記載の装置。
【請求項１４】
前記少なくとも１つのプロセッサは、少なくとも１つのセクタについての少なくとも１つの測定値を前記移動局から受信するように、前記第２の要求における前記少なくとも１つの測定値を前記指定されたネットワークエンティティへ送るように、前記移動局についての位置推定値を前記指定されたネットワークエンティティから受信するように、そして、前記位置推定値を前記移動局に提供するように、構成されている、請求項１に記載の装置。
【請求項１５】
前記少なくとも１つのプロセッサは、少なくとも１つのセクタについての少なくとも１つの測定値を前記移動局から受信するように、前記移動局についてのＢＳＡデータを前記指定されたネットワークエンティティから受信するように、前記移動局からの前記少なくとも１つの測定値と、前記指定されたネットワークエンティティからの前記ＢＳＡデータとに基づいて、前記移動局についての位置推定値を決定するように、そして、前記位置推定値を前記移動局に提供するように、構成されている、請求項１に記載の装置。
【請求項１６】
測位支援に対する第１の要求を、訪問先のネットワークと通信している移動局から受信することと；
前記移動局に適用可能な基地局アルマナック（ＢＳＡ）データがホームネットワークにおいてローカルに利用可能でないと決定することと；
前記移動局についての位置情報に対する第２の要求を、指定されたネットワークエンティティへ送ることと；
前記移動局についての位置情報を、前記指定されたネットワークエンティティから受信することと、なお、前記受信された位置情報は、前記移動局についてのＢＳＡデータ、衛星測位システム（ＳＰＳ）支援データ、および位置推定値、のうちの少なくとも１つを備える；
前記受信された位置情報に基づいて、測位支援を前記移動局に提供することと、
を備える方法。
【請求項１７】
前記第１の要求を前記受信することは、前記ホームネットワークにおけるホーム位置決定エンティティ（Ｈ−ＰＤＥ）にて前記第１の要求を受信することを備え、そして、前記第２の要求を前記送ることは、前記移動局についてのＢＳＡデータに対する前記第２の要求を、前記指定されたネットワークエンティティとして動作するＢＳＡサーバへ送ることを備え、前記ＢＳＡサーバは、前記訪問先のネットワークを含む複数のネットワークについてのＢＳＡデータを記憶する、請求項１６に記載の方法。
【請求項１８】
前記第１の要求を前記受信することは、前記ホームネットワークにおけるホーム位置決定エンティティ（Ｈ−ＰＤＥ）にて前記第１の要求を受信することを備え、そして、前記第２の要求を前記送ることは、前記指定されたネットワークエンティティとして動作する訪問先のＰＤＥ（Ｖ−ＰＤＥ）へ前記第２の要求を送ることを備える、請求項１６に記載の方法。
【請求項１９】
前記第１の要求を前記受信することは、前記ホームネットワークにおけるホーム位置決定エンティティ（Ｈ−ＰＤＥ）にて前記第１の要求を受信することを備え、前記第２の要求を前記送ることは、前記第１の要求を前記第２の要求として、前記指定されたネットワークエンティティとして動作する訪問先のＰＤＥ（Ｖ−ＰＤＥ）へ転送することを備え、そして、測位支援を前記移動局に前記提供することは、前記Ｖ−ＰＤＥから受信された前記位置情報を前記移動局へ転送することを備える、請求項１６に記載の方法。
【請求項２０】
前記移動局についての位置情報を前記受信することは、前記移動局に適用可能なＢＳＡデータを前記指定されたネットワークエンティティから受信すること、を備え、そして、測位支援を前記移動局に前記提供することは、前記受信されたＢＳＡデータに基づいて、前記移動局についてのＳＰＳ支援データを決定することと、前記ＳＰＳ支援データを前記移動局に提供することと、を備える、請求項１６に記載の方法。
【請求項２１】
前記第１の要求を前記受信することは、少なくとも１つのセクタについての少なくとも１つの測定値を前記移動局から受信すること、を備え、前記移動局についての位置情報を前記受信することは、前記移動局についてのＢＳＡデータを前記指定されたネットワークエンティティから受信すること、を備え、そして、測位支援を前記移動局に前記提供することは、前記移動局からの前記少なくとも１つの測定値と、前記指定されたネットワークエンティティからの前記ＢＳＡデータとに基づいて、前記移動局についての位置推定値を決定することと、前記位置推定値を前記移動局に提供することと、を備える、請求項１６に記載の方法。
【請求項２２】
測位支援に対する第１の要求を、訪問先のネットワークと通信している移動局から受信するための手段と；
前記移動局に適用可能な基地局アルマナック（ＢＳＡ）データがホームネットワークにおいてローカルに利用可能でないと決定するための手段と；
前記移動局についての位置情報に対する第２の要求を、指定されたネットワークエンティティへ送るための手段と；
前記移動局についての位置情報を、前記指定されたネットワークエンティティから受信するための手段と、なお、前記受信された位置情報は、前記移動局についてのＢＳＡデータ、衛星測位システム（ＳＰＳ）支援データ、および位置推定値、のうちの少なくとも１つを備える；
前記受信された位置情報に基づいて、測位支援を前記移動局に提供するための手段と；
を備える装置。
【請求項２３】
前記第１の要求を受信するための前記手段は、前記ホームネットワークにおけるホーム位置決定エンティティ（Ｈ−ＰＤＥ）にて前記第１の要求を受信するための手段を備えており、そして、前記第２の要求を送るための前記手段は、前記移動局についてのＢＳＡデータに対する前記第２の要求を、前記指定されたネットワークエンティティとして動作するＢＳＡサーバへ送るための手段を備え、前記ＢＳＡサーバは、前記訪問先のネットワークを含む複数のネットワークについてのＢＳＡデータを記憶する、請求項２２に記載の装置。
【請求項２４】
前記第１の要求を受信するための前記手段は、前記ホームネットワークにおけるホーム位置決定エンティティ（Ｈ−ＰＤＥ）にて前記第１の要求を受信するための手段を備えており、そして、前記第２の要求を送るための前記手段は、前記指定されたネットワークエンティティとして動作する訪問先のＰＤＥ（Ｖ−ＰＤＥ）へ前記第２の要求を送るための手段を備える、請求項２２に記載の装置。
【請求項２５】
前記第１の要求を受信するための前記手段は、前記ホームネットワークにおけるホーム位置決定エンティティ（Ｈ−ＰＤＥ）にて前記第１の要求を受信するための手段を備えており、前記第２の要求を送るための前記手段は、前記第１の要求を前記第２の要求として、前記指定されたネットワークエンティティとして動作する訪問先のＰＤＥ（Ｖ−ＰＤＥ）へ転送するための手段を備えており、そして、測位支援を前記移動局に提供するための前記手段は、前記Ｖ−ＰＤＥから受信された前記位置情報を前記移動局へ転送するための手段を備える、請求項２２に記載の装置。
【請求項２６】
前記移動局についての位置情報を受信するための前記手段は、前記移動局に適用可能なＢＳＡデータを前記指定されたネットワークエンティティから受信するための手段、を備えており、そして、測位支援を前記移動局へ提供するための前記手段は、前記受信されたＢＳＡデータに基づいて、前記移動局についてのＳＰＳ支援データを決定するための手段と、前記ＳＰＳ支援データを前記移動局に提供するための手段と、を備える、請求項２２に記載の装置。
【請求項２７】
前記第１の要求を受信するための前記手段は、少なくとも１つのセクタについての少なくとも１つの測定値を前記移動局から受信するための手段、を備えており、前記移動局についての位置情報を受信するための前記手段は、前記移動局についてのＢＳＡデータを前記指定されたネットワークエンティティから受信するための手段、を備えており、そして、測位支援を前記移動局に提供するための前記手段は、前記移動局からの前記少なくとも１つの測定値と、前記指定されたネットワークエンティティからの前記ＢＳＡデータとに基づいて、前記移動局についての位置推定値を決定するための手段と、前記位置推定値を前記移動局に提供するための手段と、を備える、請求項２２に記載の装置。
【請求項２８】
記憶されたプログラムコードを含むプロセッサ読み出し可能な媒体であって、
測位支援に対する第１の要求を、訪問先のネットワークと通信している移動局から受信するためのプログラムコードと；
前記移動局に適用可能な基地局アルマナック（ＢＳＡ）データがホームネットワークにおいてローカルに利用可能でないと決定するためのプログラムコードと；
前記移動局についての位置情報に対する第２の要求を、指定されたネットワークエンティティへ送るためのプログラムコードと；
前記移動局についての位置情報を、前記指定されたネットワークエンティティから受信するためのプログラムコードと、なお、前記受信された位置情報は、前記移動局についてのＢＳＡデータ、衛星測位システム（ＳＰＳ）支援データ、および位置推定値、のうちの少なくとも１つを備える；
前記受信された位置情報に基づいて、測位支援を前記移動局に提供するためのプログラムコードと；
を備えるプロセッサ読み出し可能な媒体。
【請求項２９】
前記ホームネットワークにおけるホーム位置決定エンティティ（Ｈ−ＰＤＥ）にて前記第１の要求を受信するためのプログラムコードと、
前記移動局についてのＢＳＡデータに対する前記第２の要求を、前記指定されたネットワークエンティティとして動作するＢＳＡサーバへ送るためのプログラムコードと、
をさらに備え、
前記ＢＮＡサーバは、前記訪問先のネットワークを含む複数のネットワークについてのＢＳＡデータを記憶する、
請求項２８に記載のプロセッサ読み出し可能な媒体。
【請求項３０】
前記ホームネットワークにおけるホーム位置決定エンティティ（Ｈ−ＰＤＥ）にて前記第１の要求を受信するためのプログラムコードと、
前記指定されたネットワークエンティティとして動作する訪問先のＰＤＥ（Ｖ−ＰＤＥ）へ前記第２の要求を送るためのプログラムコードと、
をさらに備える請求項２８に記載のプロセッサ読み出し可能な媒体。
【請求項３１】
前記ホームネットワークにおけるホーム位置決定エンティティ（Ｈ−ＰＤＥ）にて前記第１の要求を受信するためのプログラムコードと、
前記第１の要求を前記第２の要求として、前記指定されたネットワークエンティティとして動作する訪問先のＰＤＥ（Ｖ−ＰＤＥ）へ転送するためのプログラムコードと、
前記Ｖ−ＰＤＥから受信された前記位置情報を前記移動局へ転送するためのプログラムコードと、
をさらに備える請求項２８に記載のプロセッサ読み出し可能な媒体。
【請求項３２】
前記移動局に適用可能なＢＳＡデータを前記指定されたネットワークエンティティから受信するためのプログラムコードと、
前記受信されたＢＳＡデータに基づいて、前記移動局についてのＳＰＳ支援データを決定するためのプログラムコードと、
前記ＳＰＳ支援データを前記移動局に提供するためのプログラムコードと、
をさらに備える請求項２８に記載のプロセッサ読み出し可能な媒体。
【請求項３３】
少なくとも１つのセクタについての少なくとも１つの測定値を前記移動局から受信するためのプログラムコードと、
前記移動局についてのＢＳＡデータを前記指定されたネットワークエンティティから受信するためのプログラムコードと、
前記移動局からの前記少なくとも１つの測定値と、前記指定されたネットワークエンティティからの前記ＢＳＡデータとに基づいて、前記移動局についての位置推定値を決定するためのプログラムコードと、
前記位置推定値を前記移動局に提供するためのプログラムコードと、
をさらに備える請求項２８に記載のプロセッサ読み出し可能な媒体。
【請求項３４】
基地局アルマナック（ＢＳＡ）データを複数のネットワークから受信するように、ＢＳＡデータに対する要求を前記複数のネットワークにおける位置決定エンティティ（ＰＤＥｓ）から受信するように、前記要求のそれぞれが許可されるかどうかを決定するように、そして、許可された要求について前記ＰＤＥｓにＢＳＡデータを返すように、構成された少なくとも１つのプロセッサと、
前記少なくとも１つのプロセッサに結合されたメモリと、
を備える装置。
【請求項３５】
各ＰＤＥは、前記複数のネットワークのうちの１つに対してサービス提供し、前記ＰＤＥによってサービス提供されない他のネットワークについてのＢＳＡデータに対する要求を送る、請求項３４に記載の装置。
【請求項３６】
前記少なくとも１つのプロセッサは、移動局のサービス提供セクタについての情報をＰＤＥから受信するように、前記サービス提供セクタについての前記情報に基づいて、前記移動局に適用可能なＢＳＡデータを決定するように、そして、前記ＢＳＡデータを前記ＰＤＥへ返すように構成されている、請求項３４に記載の装置。
【請求項３７】
前記少なくとも１つのプロセッサは、前記サービス提供セクタのみについてのＢＳＡデータを前記ＰＤＥに提供するように構成されている、請求項３６に記載の装置。
【請求項３８】
前記少なくとも１つのプロセッサは、前記サービス提供セクタおよび少なくとも１つの隣接セクタについてのＢＳＡデータを前記ＰＤＥに提供するように構成されている、請求項３６に記載の装置。
【請求項３９】
前記サービス提供セクタについての情報は、システム識別（ＳＩＤ）、ネットワーク識別（ＮＩＤ）、および基地局識別（ＢＡＳＥ＿ＩＤ）、を備える、請求項３６に記載の装置。
【請求項４０】
前記少なくとも１つのプロセッサは、ＢＳＡデータを前記複数のネットワークのそれぞれから取得するために、どのネットワークが許可されるのかを示す構成情報を受信するように、そして、前記構成情報に基づいて、前記要求のそれぞれが許可されるかどうかを決定するように、構成されている、請求項３４に記載の装置。
【請求項４１】
前記少なくとも１つのプロセッサは、ＢＳＡデータに対する要求をＰＤＥから受信するように、そして、前記ＰＤＥに適用可能な構成情報に基づいて、未変更のＢＳＡデータまたは劣化されたＢＳＡデータを前記ＰＤＥに提供するように、構成されている、請求項３４に記載の装置。
【請求項４２】
基地局アルマナック（ＢＳＡ）データを複数のネットワークから受信することと、
ＢＳＡデータに対する要求を前記複数のネットワークにおける位置決定エンティティ（ＰＤＥｓ）から受信することと、
前記要求のそれぞれが許可されるかどうかを決定することと、
認証された要求について前記ＰＤＥｓにＢＳＡデータを返すことと、
を備える方法。
【請求項４３】
ＢＳＡデータを前記複数のネットワークのそれぞれから取得するために、どのネットワークが許可されるかを示す構成情報を受信すること、
をさらに備え、
前記要求のそれぞれは、前記構成情報に基づいて許可される、
請求項４２に記載の方法。
【請求項４４】
前記ＰＤＥsにＢＳＡデータを前記返すことは、
許可された要求について、移動局のサービス提供セクタについての情報をＰＤＥから受信することと、
前記サービス提供セクタについての前記情報に基づいて、前記移動局に適用可能なＢＳＡデータを決定することと、
前記ＢＳＡデータを前記ＰＤＥへ返すことと、
を備える請求項４２に記載の方法。
【請求項４５】
前記ＰＤＥsにＢＳＡデータを前記返すことは、認証された要求について、ＰＤＥに適用可能な構成情報に基づいて、未変更のＢＳＡデータまたは劣化されたＢＳＡデータを前記ＰＤＥに提供すること、を備える、請求項４２に記載の方法。
【請求項４６】
訪問先のネットワークと通信している移動局についての位置情報に対する要求を受信するように、なお、前記要求は、前記移動局に適用可能な基地局アルマナック（ＢＳＡ）データがホームネットワークにおいてローカルに利用可能でないと決定することに応じて、ホーム位置決定エンティティ（Ｈ−ＰＤＥ）によって送られる；そして、前記移動局についてのＢＳＡデータ、衛星測位システム（ＳＰＳ）支援データ、および位置推定値、のうちの少なくとも１つを備える、前記移動局についての位置情報を、前記Ｈ−ＰＤＥへ送るように；構成された少なくとも１つのプロセッサと、
前記少なくとも１つのプロセッサに結合されたメモリと、
を備える装置。
【請求項４７】
前記少なくとも１つのプロセッサは、前記Ｈ−ＰＤＥからの各要求を別個のトランザクションとして処理するように構成されている、請求項４６に記載の装置。
【請求項４８】
位置情報に対する前記要求は、前記移動局によって前記Ｈ−ＰＤＥへ送られ、前記Ｈ−ＰＤＥによって転送され、そして、前記位置情報は、前記Ｈ−ＰＤＥへ送られ、前記移動局へ転送される、請求項４６に記載の装置。
【請求項４９】
訪問先のネットワークと通信している移動局についての位置情報に対する要求を受信することと、なお前記要求は、前記移動局に適用可能な基地局アルマナック（ＢＳＡ）データがホームネットワークにおいてローカルに利用可能でないと決定することに応じて、ホーム位置決定エンティティ（Ｈ−ＰＤＥ）によって送られる； 
前記移動局についての位置情報を前記Ｈ−ＰＤＥへ送ることと、なお前記位置情報は、前記移動局についてのＢＳＡデータ、衛星測位システム（ＳＰＳ）支援データ、および位置推定値、のうちの少なくとも１つを備える；
を備える方法。
【請求項５０】
前記Ｈ−ＰＤＥからの各要求を別個のトランザクションとして処理すること、
をさらに備える請求項４９に記載の方法。
【請求項５１】
位置情報に対する前記要求は、前記移動局によって前記Ｈ−ＰＤＥへ送られ、前記Ｈ−ＰＤＥによって転送され、そして、前記位置情報は、前記Ｈ−ＰＤＥへ送られ、前記移動局へ転送される、請求項４９に記載の方法。
【請求項５２】
訪問先のネットワークと無線接続を介して通信するように、測位支援に対する要求をホームネットワークにおけるホーム位置決定エンティティ（Ｈ−ＰＤＥ）へ送るように、そして、前記移動局に適用可能な基地局アルマナック（ＢＳＡ）データが前記ホームネットワークにおいてローカルに利用可能でないときに、指定されたネットワークエンティティからＨ−ＰＤＥによって取得された位置情報に基づいて前記Ｈ−ＰＤＥによって提供された測位支援を受信するように、構成された少なくとも１つのプロセッサと、
前記少なくとも１つのプロセッサに結合されたメモリと、
を備える装置。
【請求項５３】
前記少なくとも１つのプロセッサは、前記訪問先のネットワークにおけるサービス提供セルからシステムパラメータ情報を受信するように、そして、前記Ｈ−ＰＤＥへ送られた前記要求内に前記システムパラメータ情報を提供するように、構成され、前記システムパラメータ情報は、前記移動局に適用可能なＢＳＡデータがローカルに利用可能でないと決定するために前記Ｈ−ＰＤＥによって使用される、請求項５２に記載の装置。
【請求項５４】
訪問先のネットワークと無線接続を介して通信することと、
測位支援に対する要求をホームネットワークにおけるホーム位置決定エンティティ（Ｈ−ＰＤＥ）へ送ることと、
前記移動局に適用可能な基地局アルマナック（ＢＳＡ）データが前記ホームネットワークにおいてローカルに利用可能でないときに、指定されたネットワークエンティティからＨ−ＰＤＥによって取得された位置情報に基づいて、前記Ｈ−ＰＤＥによって提供された測位支援を受信することと、
を備える方法。
【請求項５５】
前記訪問先のネットワークにおけるサービス提供セルからシステムパラメータ情報を受信することと、
前記Ｈ−ＰＤＥへ送られた前記要求内の前記システムパラメータ情報を提供すること
と、
をさらに備え、
前記システムパラメータ情報は、前記移動局に適用可能なＢＳＡデータがローカルに利用可能でないと決定するために前記Ｈ−ＰＤＥによって使用される、
請求項５４に記載の方法。
【発明の詳細な説明】
【関連出願の相互参照】
【０００１】
本願は、ここでの譲受人に譲渡され、参照によりここに組み込まれている、２００６年８月２４日に出願された、「基地局アルマナックデータのシェアリングを通じてロケーションベースのサービスローミングを容易にするための方法および装置(Method and Apparatus to Facilitate Location Based Services Roaming Through Sharing of Base Station Almanac Data)」と題された米国仮出願第６０／８４０２７４号の、および、ここでの譲受人に譲渡され、参照によりここに組み込まれている、２００６年１１月１７日に出願された、「ＣＤＭＡユースプレーンロケーションベースのサービス（ＬＢＳ）ローミング(CDMA Use Plane Location Based Services (LBS) Roaming)と題された米国仮出願第６０／８６６４１０号の、優先権を主張する。
【背景】
【０００２】
［Ｉ．分野］
本開示は、一般には通信に関し、より具体的には、移動局の測位(positioning)をサポートするための手法に関する。
【０００３】
［ＩＩ．背景］
携帯電話などの移動局の場所(location)を知ることが望ましいことが多く、また時には必要である。ここにおいて、「場所(location)」および「位置(position)」という用語は同義であり、交換可能に使用される。例えば、ユーザは、移動局を使用してウェブサイトを閲覧して、場所によって決まるロケーションセンシティティブコンテンツ（location sensitive content）をクリックすることがある。その後、移動局の場所が決定され(determined)、適切なコンテンツをユーザに提供するために使用される。移動局の場所の知識が有用または必要である場合は、他にも数多くある。
【０００４】
移動局は、ホームネットワーク(home network)から、そして訪問先のネットワーク(visited network)においてローミングしている(roaming)間にも、位置サービス(location services)を取得できるようになっている場合がある。移動局は、必要な場合にはいつでも移動局の場所を決定するために、ホームネットワークにおける様々なネットワークエンティティと通信する場合がある。このとき、主な課題の１つは、ローミングしている場合の移動局に位置サービスを提供することである。
【発明の概要】
【０００５】
ローミング中の移動局(roaming mobile stations)に対して測位(positioning)および位置サービス(location services)をサポートする手法が、ここにおいて説明される。ローミング中の移動局は、訪問先のネットワークと通信し、ホームネットワークに対するデータ接続(data connection)を有することができる。移動局は、測位のためにホームネットワークにおけるホーム位置決定エンティティ(home position determining entity)（Ｈ−ＰＤＥ）と対話する(interact)ことができる。移動局は、測位支援(positioning assistance)に対する第１の要求を、Ｈ−ＰＤＥへ送る(send)ことができる。第１の要求は、訪問先のネットワークにおける移動局についてのサービス提供(serving)セクタを示すシステムパラメータ情報を含んでもよい。Ｈ−ＰＤＥは、移動局に適用可能な基地局アルマナック(base station almanac)（ＢＳＡ）データがホームネットワークにおいてローカルに利用可能でないことを決定することができる。次に、Ｈ−ＰＤＥは、移動局についての位置情報(location information)に対する第２の要求を、指定されたネットワークエンティティへ送ることができ、そして、当該位置情報を当該指定されたネットワークエンティティから受信することができる。受信された位置情報は、移動局についてのＢＳＡデータ、衛星測位システム(satellite positioning system)（ＳＰＳ）支援データ、および／または位置推定値(position estimate)、を備えることができる。その後、Ｈ−ＰＤＥは、受信された位置情報に基づいて、測位支援を移動局に提供することができる。
【０００６】
指定されたネットワークエンティティは、訪問先のネットワークを含む複数のネットワークについてのＢＳＡデータを記憶するＢＳＡサーバであってもよい。ＢＳＡサーバは、上記第２の要求をＨ−ＰＤＥから受信することができ、そして、サービス提供セクタのみについての、または、サービス提供セクタおよび隣接セクタについての、ＢＳＡデータを返すことができる。代わりに、指定されたネットワークエンティティは、訪問先のネットワークにおける訪問先のＰＤＥ(visited PDE)（Ｖ−ＰＤＥ）であってもよい。Ｖ−ＰＤＥは、上記第２の要求をＨ−ＰＤＥから受信して、移動局についてのＢＳＡデータ、ＳＰＳ支援データ、および／または位置推定値を返してもよい。
【０００７】
本開示の様々な態様および特徴が、以下にさらに詳細に説明される。
【図面の簡単な説明】
【０００８】
【図１】ローミング中の移動局についての訪問先のネットワークおよびホームネットワークを示す図。
【図２】ＢＳＡサーバを使用したローミング中の移動局の測位を示す図。
【図３】ＢＳＡサーバを使用したローミング中の移動局の測位のためのメッセージフローを示す図。
【図４】ＢＳＡサーバを使用したローミング中の移動局の測位のためのメッセージフローを示す図。
【図５】Ｖ−ＰＤＥを使用したローミング中の移動局の測位を示す図。
【図６】Ｖ−ＰＤＥを使用したローミング中の移動局の測位のためのメッセージフローを示す図。
【図７】Ｖ−ＰＤＥを使用したローミング中の移動局の測位のためのメッセージフローを示す図。
【図８】ＩＳ−８０１メッセージ転送を伴う、ローミング中の移動局の測位のためのメッセージフローを示す図。
【図９】Ｈ−ＰＤＥによって行われる処理を示す図。
【図１０】ＢＳＡサーバによって行われる処理を示す図。
【図１１】Ｖ−ＰＤＥによって行われる処理を示す図。
【図１２】測位のために移動局によって行われる処理を示す図。
【図１３】移動局と他のネットワークエンティティのブロック図。
【詳細な説明】
【０００９】
ここにおいて説明される手法は、符号分割多元接続(Code Division Multiple Access)（ＣＤＭＡ）ネットワーク、時分割多元接続(Time Division Multiple Access)（ＴＤＭＡ）ネットワーク、周波数分割多元接続(Frequency Division Multiple Access)（ＦＤＭＡ）ネットワーク、直交周波数分割多元接続(Orthogonal FDMA)（ＯＦＤＭＡ）ネットワークなどといった様々な無線ネットワークのために使用されてもよい。ＣＤＭＡネットワークは、ｃｄｍａ２０００、広帯域符号分割多元接続(Wideband-CDMA)（Ｗ−ＣＤＭＡ）などの無線技術を実施することができる。ｃｄｍａ２０００は、ＩＳ−２０００，ＩＳ−８５６，およびＩＳ−９５規格を満たす。ＴＤＭＡネットワークは、移動通信のためのグローバルシステム(Global System for Mobile Communications)（ＧＳＭ）、デジタル先進移動電話サービス(Digital Advanced Mobile Phone System)（Ｄ−ＡＭＰＳ）などの無線技術を実施することができる。Ｗ−ＣＤＭＡおよびＧＳＭは、「第３世代パートナーシッププロジェクト(3rd Generation Partnership Project)」（３ＧＰＰ）という名称の機関からの文献に記載されている。ｃｄｍａ２０００は、「第３世代パートナーシッププロジェクト２(3rd Generation Partnership Project 2)」（３ＧＰＰ２）という名称の機関からの文献に記載されている。３ＧＰＰおよび３ＧＰＰ２の文献は、公に入手可能である。明確にするために、本技術は、３ＧＰＰ２ネットワークについて以下に説明される。
【００１０】
図１は、訪問先のネットワーク１０２、ホームネットワーク１０４、第三者ネットワーク１０６、および要求元ネットワーク１０８を有する配置を示す。「訪問先の(visited)」および「サービス提供(serving)」という用語は交換可能に使用されることが多い。ホームネットワーク１０４は、移動局(mobile station)（ＭＳ）１１０がサービス加入している無線ネットワークである。訪問先のネットワーク１０２は、移動局１１０に現在サービス提供している無線ネットワークである。訪問先のネットワーク１０２およびホームネットワーク１０４は、移動局１１０がホームネットワークの範囲外をローミングしている場合には、互いに異なるネットワークであってもよい。ネットワーク１０２および１０４は、位置サービス(location services)（ＬＣＳ）を支援してもよく、当該位置サービスは、位置情報に基づくかまたはそれに関連するいかなるサービスをも含んでもよい。ＬＣＳは、位置ベースサービス(location-based services)（ＬＢＳ）とも称されることがある。
【００１１】
移動局１１０は、静止または移動してもよく、ユーザ装置(user equipment)（ＵＥ）、端末、アクセス端末、加入者ユニット、局などとも称されることがある。移動局１１０は、携帯電話、携帯情報端末(personal digital assistant)（ＰＤＡ）、無線装置、ハンドセット、ラップトップコンピュータ、遠隔計測装置、トラッキング装置などであってもよい。移動局１１０は、訪問先のネットワーク１０２における無線アクセスネットワーク(radio access network)（ＲＡＮ）１２０と通信して、音声、映像、パケットデータ、同報通信、メッセージングなどの通信サービスを取得することができる。また、移動局１１０は、１つ以上の衛星１９０から信号を受信してもよく、当該衛星１９０は、米国のグローバルポジショニングシステム(Global Positioning System)（ＧＰＳ）、欧州のガリレオ（Galileo）システム、ロシアのＧＬＯＮＡＳＳシステム、または何らかの他の衛星測位システム(satellite positioning system)（ＳＰＳ）の一部であってもよい。移動局１１０は、衛星１９０からの信号および／またはＲＡＮ１２０における基地局からの信号を測定してもよく、衛星についての擬似距離測定値および／または基地局についてのタイミング測定値を取得してもよい。擬似距離測定値および／またはタイミング測定値は、支援ＧＰＳ(assisted GPS)（Ａ−ＧＰＳ）、スタンドアロンＧＰＳ、先進順方向リンク三辺測量(Advanced Forward Link Trilateration)（Ａ−ＦＬＴ）、拡張観測時間差(Enhanced Observed Time Difference)（Ｅ−ＯＴＤ）、到着観測時間差(Observed Time Difference of Arrival)（ＯＴＤＯＡ）、拡張セルＩＤ、セルＩＤなどの測位方法のうちの１つまたは組み合わせを使用して移動局１１０についての位置推定値を導出するために使用されてもよい。
【００１２】
アプリケーション(application)（ＡＰＰ）１１２は、移動局１１０についての位置サービスおよび／または測位をサポートしてもよく、ＬＣＳクライアントおよび／またはより高い層のアプリケーションを備えてもよい。ＬＣＳクライアントとは、ＬＣＳ対象(LGS target）についての位置情報を要求するエンティティの機能のことである。ＬＣＳ対象とは、その場所が探索されている移動局のことである。一般に、ＬＣＳクライアントは、ネットワークエンティティまたは移動局内に存在するか、またはその両方の外部にあってもよい。
【００１３】
訪問先のネットワーク１０２において、ＲＡＮ１２０は、ＲＡＮの範囲内にある移動局についての無線通信をサポートする。ＲＡＮ１２０は、基地局、基地局コントローラ(base station controllers)（ＢＳＣｓ）、および／または無線通信をサポートする他のネットワークエンティティを含んでもよい。パケットコントロール機能(packet control function)（ＰＣＦ）１２８は、ＲＡＮ１２０とパケットデータサービス提供ノード(packet data serving node)（ＰＤＳＮ）１３０との間のパケットデータのやり取りをサポートする。ＰＤＳＮ１３０は、移動局に対するパケット交換された呼をサポートし、データセッションの確立、保守、および終了の役割を担う。ＰＤＳＮ１３０は、ローミング中に移動局１１０がパケットデータをやり取りする際に介在するフォーリンエージェント(foreign agent)（ＦＡ）であってもよい。相互動作機能(inter-working function)（ＩＷＦ）が、例えばＩＳ−９５ネットワークなどの何らかの無線ネットワークにおいてＰＤＳＮ１３０の代わりに使用されてもよい。
【００１４】
訪問先のＬＣＳシステム１３６は、訪問先のネットワーク１０２についての測位および位置サービスをサポートし、訪問先の移動測位センタ(visited mobile positioning center)（Ｖ−ＭＰＣ）１３８と、訪問先の位置決定エンティティ(visited position determining entity)（Ｖ−ＰＤＥ）１４０と、ＢＳＡユニット１４２とを含む。Ｖ−ＭＰＣ１３８は、位置サービスのための様々な機能を行い、加入者のプライバシー(subscriber privacy)、許可(authorization)、認証(authentication)、ローミングサポート(roaming support)、料金請求(charging)／課金(billing)、サービス管理(service management)、位置計算(position calculation)などをサポートすることができる。Ｖ−ＰＤＥ１４０は、移動局についての測位をサポートする。測位(positioning)は、対象装置(target device)についての地理的な位置推定値(geographic position estimate)を測定する(measure)／計算する(compute)ための処理(process)を指す。また、位置推定値(position estimate)はまた、場所推定値(location estimate)、位置フィックス(position fix)、フィックス(fix)、等とも呼ばれてもよい。Ｖ−ＰＤＥ１４０は、測位のために訪問先のネットワーク１０２に属する移動局とメッセージをやり取りし、位置推定値を計算し、移動局に対する支援データの配信をサポートし、セキュリティのための機能を行う、等を行うことができる。ユニット１４２は、訪問先のネットワーク１０２におけるセクタおよび基地局についての情報を含有する(containing)ＢＳＡを記憶しており、当該ＢＳＡは、移動局の測位を支援するために使用されてもよい。セクタ(sector)は、サービスエリア(coverage area)にサービス提供する基地局および／または基地局サブシステムの、サービスエリア(coverage area)のことを指すことができる。
【００１５】
訪問先の認証、許可、および会計(visited authentication, authorization, and accounting)（Ｖ−ＡＡＡ）サーバ１３２は、ＬＣＳおよび他のサーバに対する認証および許可を行う。ビジタ場所レジスタ(visitor location register)（ＶＬＲ）１３４は、訪問先のネットワーク１０２に登録された移動局についての登録情報を記憶する。訪問先のネットワーク１０２におけるネットワークエンティティは、データネットワーク１４８を介して互いに通信してもよい。
【００１６】
ホームネットワーク１０４において、ＰＤＳＮ１５０は、移動局１１０が登録されたホームエージェント(home agent)（ＨＡ）であってもよく、パケットを移動局１１０へ転送する役割を担う。ホームＬＣＳシステム１５６は、ホームネットワーク１０４についての測位および位置サービスをサポートし、ホームＭＰＣ(home MPC)（Ｈ−ＭＰＣ）１５８と、ホームＰＤＥ(home PDE)（Ｈ−ＰＤＥ）１６０と、ＢＳＡユニット１６２とを含み、これらは、訪問先のＬＣＳシステム１３６における対応のネットワークエンティティと同様に動作してもよい。ホームＡＡＡ(home AAA)（Ｈ−ＡＡＡ）サーバ１５２およびホーム場所レジスタ(home location register)（ＨＬＲ）１５４は、訪問先のネットワーク１０２における対応のネットワークエンティティと同様に動作してもよい。ホームネットワーク１０４におけるネットワークエンティティは、ホームネットワークと通信している移動局に対してサービス提供する(serve)ものであって、データネットワーク１６８を介して互いに通信してもよい。
【００１７】
第三者ネットワーク１０６は、後述のように、移動局の測位をサポートするために他のネットワークにおけるＰＤＥｓと通信するＢＳＡサーバ１７０を含む。ユニット１７２は、ＢＳＡデータを共有したいネットワークからのＢＳＡを記憶してもよい。要求元ネットワーク１０８は、移動局１１０の場所を知りたいようなＬＣＳクライアント１８０を含む。ＬＣＳクライアント１８０は、移動局１１０の場所を取得するためにＨ−ＭＰＣ１５８と通信してもよい。要求元ネットワーク１０８は、訪問先のネットワーク１０２またはホームネットワーク１０４の一部であってもよく、またはこれらのネットワークとは別個のものであってもよい。例えば、要求元ネットワーク１０８は、インターネットサービスプロバイダ(Internet service provider)（ＩＳＰ）によって保守されたデータネットワークであってもよい。第三者ネットワーク１０６および要求元ネットワーク１０８におけるエンティティは、訪問先のネットワーク１０２およびホームネットワーク１０４におけるエンティティとデータネットワーク１７８を介して通信してもよく、データネットワーク１７８は、インターネットまたは何らかの他のネットワークであってもよい。
【００１８】
広域参照ネットワーク(Wide Area Reference Network)（ＷＡＲＮ）１９２は、ＧＰＳ衛星を監視するものであって、Ｈ−ＰＤＥ１６０に対して、ホームネットワーク１０４および訪問先のネットワーク１０２のサービスエリアについての衛星参照情報を提供してもよい。衛星参照情報は、ＧＰＳエフェメリス(Ephemeris)情報についての微分補正を備えてもよく、ＧＰＳおよびＡ−ＧＰＳの場所計算(GPS and A-GPS location calculations)において使用されてもよい。
【００１９】
図１は、訪問先のネットワーク１０２およびホームネットワーク１０４の例を示す。一般に、ネットワークは、当該ネットワークによって提供される任意のサービスをサポートするようなエンティティの任意の組み合わせを含んでもよい。ネットワーク１０２および１０４は、ユーザプレーンロケーションアーキテクチャ(user plane location architecture)をサポートしてもよい。ユーザプレーンとは、より高い層のアプリケーションのためのメッセージ／シグナリングを搬送するための機構であって、ユーザプレーンベアラ(bearer)を用いる。ユーザプレーンベアラは、典型的には、ユーザデータグラムプロトコル(User Datagram Protocol)（ＵＤＰ）、伝送制御プロトコル(Transmission Control Protocol)（ＴＣＰ）、およびインターネットプロトコル(Internet Protocol)（ＩＰ）などのプロトコルで実施され、これらのプロトコルは当該技術においてすべて周知である。メッセージ／シグナリングをサポートする位置サービスおよび測位は、ユーザプレーンアーキテクチャにおける（ネットワークの観点からの）データの一部として搬送されてもよい。
【００２０】
ネットワーク１０２および１０４は、ＣＤＭＡ開発グループ(CDMA Development Group)（ＣＤＧ）からのＶ１またはＶ２ユーザプレーン、３ＧＰＰ２からのＸ．Ｓ００２４ユーザプレーン、オープンモバイルアライアンス(Open Mobile Alliance)（ＯＭＡ）からのセキュアユーザプレーンロケーション(Secure User Plane Location)（ＳＵＰＬ）などの任意のユーザプレーンアーキテクチャを実装してもよい。Ｖ１、Ｖ２、およびＸ．Ｓ００２４は、３ＧＰＰ２ネットワークに適用可能である。ＳＵＰＬは、３ＧＰＰおよび３ＧＰＰ２ネットワークに適用可能である。これらのユーザプレーンアーキテクチャは、公に入手可能である文献に記載されている。
【００２１】
ここでの記載においては、「ＰＤＥ」という用語は、一般に、測位をサポートするエンティティを指し、「ＭＰＣ」という用語は、一般に、位置サービスをサポートするエンティティを指し、「移動局」という用語は、一般に、位置サービスのためのＭＰＣ、および／または、測位のためのＰＤＥ、と通信するようなエンティティを指し、「ＬＣＳクライアント」という用語は、一般に、移動局の場所(location)を要求するエンティティを指す。ＰＤＥは、Ｖ１およびＶ２ユーザプレーン(V1 and V2 user plane)におけるＰＤＥ、ＳＵＰＬにおけるＳＵＰＬ測位センタ(SUPL Positioning Center)（ＳＰＣ）、３ＧＰＰにおけるサービングモバイルロケーションセンタ(Serving Mobile Location Center)（ＳＭＬＣ）またはスタンドアロンＳＭＬＣ(Standalone SMLC)（ＳＡＳ）、等であってもよい。ＭＰＣは、Ｖ１およびＶ２ユーザプレーンにおけるＭＰＣ、ＳＵＰＬにおけるＳＵＰＬロケーションセンタ(SUPL Location Center)（ＳＬＣ）、Ｘ．Ｓ００２４における位置サーバ(Position Server)（ＰＳ）、３ＧＰＰにおけるゲートウェイモバイルロケーションセンタ(Gateway Mobile Location Center)（ＧＭＬＣ）、等であってもよい。移動局は、Ｖ１およびＶ２ユーザプレーンにおける移動局、ＳＵＰＬにおけるＳＵＰＬ可能端末(SUPL enabled terminal)（ＳＥＴ）、３ＧＰＰにおけるＵＥ、等であってもよい。ＰＤＥ、ＭＰＣ、移動局、およびＬＣＳクライアントは、他のネットワークおよび他のロケーションアーキテクチャにおいては他の名称によって呼ばれるかもしれない。
【００２２】
ネットワーク１０２および１０４は、信頼性のあるモデルおよび／または信頼性のないモデルに基づいて、ローミング中の移動局について位置サービスをサポートしてもよい。表１は、信頼性のあるモデルおよび信頼性のないモデルについての短い説明を提供する。
【表１】
2010502133.tif 000003
【００２３】
ネットワークは、当該ネットワークにおけるセクタおよび／または基地局についてのＢＳＡを保持してもよい。ＢＳＡは、複数のレコードを含んでもよく、各ＢＳＡレコードは、ネットワークにおけるセクタまたは基地局を記載していてもよい。各ＢＳＡは、測位に関連するような様々な種類の情報を含んでもよい。例えば、ＢＳＡレコードは、米国特許第７１２３９２８号に記載されているように、セクタ／基地局識別子、基地局アンテナの位置、アンテナパラメータ、地形情報、セクタの中心、周波数などについての情報を含んでもよい。ＢＳＡは、Ａ−ＦＬＴ、Ｅ−ＯＴＤ、ＯＴＤＯＡ、拡張セルＩＤ、セルＩＤなどのネットワークベースの測位方法をサポートするために使用されてもよい。例えば、基地局の位置は、移動局の位置をＡ−ＦＬＴ、Ｅ−ＯＴＤ、ＯＴＤＯＡ方法を使用して三辺測量するために使用されてもよい。セクタの中心は、拡張セルＩＤおよびセルＩＤ方法のために移動局についての大まかな位置推定値として使用されてもよい。また、ＢＳＡは、ＧＰＳ、Ａ−ＧＰＳなどの衛星ベースの方法をサポートするために使用されてもよい。例えば、移動局１１０のサービス提供セクタについての情報が、大まかな位置推定値を取得するために使用されてもよく、そして、当該大まかな位置推定値は、適切なＧＰＳ支援データを移動局に提供するために使用されてもよい。
【００２４】
移動局１１０は、訪問先のネットワーク１０２と通信してもよく、例えば移動局、ＬＣＳクライアント１８０、またはＨ−ＭＰＣ１５８上にあるアプリケーションから、移動局の場所に対する要求を受信してもよい。ローミング中であっても、移動局１１０は、モバイルＩＰなどのデータローミング機構を使用して、ホームネットワーク１０４に対するデータ接続を有してもよい。ローミング中の移動局１１０に対してホームＬＣＳシステム１５６からサービス提供するのが望ましいだろう。これにより、ホームネットワーク１０４は、セキュリティおよび認証、ユーザのプライバシー、位置推定値の品質、システムスケーリング(system scaling)、課金などに対する制御を維持することができてもよい。さらに、これにより、移動局１１０は、音声およびデータローミングが移動局に対してサポートされている限り、訪問先のネットワークの測位およびＬＣＳ能力に関わらず、どこをローミングしていても、ホームネットワーク１０４から位置サービスを取得することができてもよい。
【００２５】
ローミング中に移動局１１０に対して有効にサービス提供するために、ホームＬＣＳシステム１５６は、訪問先のネットワーク１０２からＢＳＡデータに対してアクセスする必要がある場合がある。ホームＬＣＳシステム１５６におけるユニット１６２は、ホームネットワーク１０４におけるセクタおよび基地局のみについてのＢＳＡデータを記憶してもよい。訪問先のＬＣＳシステム１５６におけるユニット１４２は、訪問先のネットワーク１０２におけるセクタおよび基地局についてのＢＳＡデータを記憶してもよい。ホームＬＣＳシステム１５６は、訪問先のネットワーク１０２内をローミングする場合に移動局１１０に対して有効にサービス提供するために、訪問先のＬＣＳシステム１３６に記憶されたＢＳＡデータに対してアクセスする必要があってもよい。
【００２６】
ある態様においては、ＢＳＡサーバ１７０は、異なる参加ネットワークから、これらのネットワークにおいてローミングする移動局の測位のためにＢＳＡデータを共有することをサポートする。ＢＳＡサーバ１７０は、訪問先のネットワーク１０２およびホームネットワーク１０４のような異なるネットワークからＢＳＡｓを受信してもよく、これらのＢＳＡｓをユニット１７２に記憶させてもよい。各ネットワークは、ＢＳＡが更新される度やＢＳＡサーバによって要求される場合などに、そのＢＳＡを定期的にＢＳＡサーバ１７０に提供してもよい。ＢＳＡサーバ１７０は、参加ネットワークからのＢＳＡｓについてのリポジトリ(repository)として動作してもよく、許可されたＰＤＥｓによって要求されるときにはＢＳＡデータをこれらのＰＤＥｓに提供してもよい。所定のＰＤＥがそのローカルＢＳＡ内に、ローミング中の移動局に対してサービス提供するために必要なコンテンツを有していない場合には、当該ＰＤＥは、所望のＢＳＡデータについてＢＳＡサーバ１７０をクエリしてもよい。ＰＤＥは、ＢＳＡサーバ１７０によって提供されたＢＳＡデータに基づいて、移動局に対して有効にサービス提供する（例えば、高品質の位置推定値を導出する）ことができてもよい。
【００２７】
図２は、ＢＳＡサーバ１７０を使用したローミング中の移動局１１０の測位をサポートするための設計を示す。移動局１１０は、モバイルＩＰなどのローミング機構を使用して、訪問先のネットワーク１０２におけるＲＡＮ１２０、ＰＣＦ１２８、およびＰＤＳＮ／ＦＡ１３０を介してホームネットワーク１０４内のＰＤＳＮ／ＨＡ１５０とデータをやり取りしてもよい。モバイルＩＰトンネルがＰＤＳＮ／ＦＡ１３０とＰＤＳＮ／ＨＡ１５０との間で確立されてもよく、移動局１１０についてデータがやり取りされるために使用されてもよい。訪問先のネットワーク１０２内のネットワークエンティティは、移動局１１０とホームネットワーク１０４との間の通信のためにデータをトランスペアレントに(transparently)転送してもよい。移動局１１０は、ホームＬＣＳシステム１５６内のエンティティとＰＤＳＮ／ＨＡ１５０を介して通信してもよい。
【００２８】
移動局１１０は、位置サービスのために（例えば、支援データまたは位置推定値を要求するために）Ｈ−ＭＰＣ１５８と通信してもよく、移動局についてのサービス提供セクタについてのシステムパラメータ情報を提供してもよい。ＩＳ−８０１では、システムパラメータ情報は、システム識別(System Identification)（ＳＩＤ）と、ネットワーク識別(Network Identification)（ＮＩＤ）と、および基地局識別(Base Station Identification)（ＢＡＳＥ＿ＩＤ）を備えてもよく、これらはすべて、サービス提供セクタによって同報通信されるシステムパラメータメッセージから取得されてもよい。ＳＩＤは特定の領域内のネットワークオペレータのセルラーシステムを識別し、ＮＩＤはセルラーシステム内のより小さなネットワークを識別する。ＢＡＳＥ＿ＩＤは、ＣＥＬＬ＿ＩＤと、サービス提供セクタに割り当てられたＳＥＣＴＯＲ＿ＩＤとからなってもよい。ＳＩＤおよびＮＩＤは、移動局１１０に対して現在サービス提供しているネットワークを識別して移動局１１０がローミングしているかどうかを決定するために使用されてもよい。ＳＩＤ、ＮＩＤ、およびＢＡＳＥ＿ＩＤは、移動局１１０に対して現在サービスを提供しているセクタを決定するために使用されてもよい。ＧＳＭでは、システムパラメータ情報は、モバイルカントリーコード(Mobile Country Code)（ＭＣＣ）と、モバイルネットワークコード(Mobile Network Code)（ＭＮＣ）、およびロケーションエリアコード(Location Area Code)（ＬＡＣ）とを備えてもよい。Ｗ−ＣＤＭＡでは、システムパラメータ情報は、ＭＣＣ、ＭＮＣ、および無線ネットワークコントローラ識別子(Radio Network Controller identifier)（ＲＮＣ−ＩＤ）を備えてもよい。システムパラメータ情報は、他のシステムにおける他の項目を備えてもよい。また、移動局１１０は、測位サービス品質(positioning quality of service)（ＰＱｏＳ）情報、所望の数の位置推定値などの他の情報を提供してもよい。
【００２９】
Ｈ−ＭＰＣ１５８は、要求された位置サービスについて移動局１１０を許可してもよく、測位のために移動局に対してサービス提供するためにＨ−ＰＤＥ１６０を選択してもよい。Ｈ−ＭＰＣ１５８は、Ｈ−ＰＤＥ１６０に対して、移動局１１０との測位セッション(positioning session)を受け付けるように要求してもよく、移動局１１０から受信された関連情報をＨ−ＰＤＥ１６０に提供してもよい。
【００３０】
その後、移動局１１０およびＨ−ＰＤＥ１６０は、測位支援を移動局１１０に提供するために測位セッション（例えば、ＩＳ−８０１セッション）を行ってもよい。Ｈ−ＰＤＥ１６０は、移動局１１０についてＳＩＤ、ＮＩＤ、およびＢＡＳＥ＿ＩＤをＨ−ＭＰＣ１５８から受信してもよく、移動局１１０が現在ローミングしていると決定してもよい。Ｈ−ＰＤＥ１６０は、所望のＢＳＡデータがユニット１６２においてローカルに利用可能でないことを認識してもよく、その後、ＢＳＡサーバ１７０に対して所望のＢＳＡデータを提供するように要求してもよい。Ｈ−ＰＤＥ１６０は、セキュアなインターフェースを介してＢＳＡサーバ１７０と通信してもよく、当該インターフェースは、トンネリングまたは他の手段を使用したインターネット上にあってもよい。セキュアなインターフェースは、ＢＳＡデータが通過中に誰か（ネットワークオペレータを含む）に読み出されることを防止してもよい。ＢＳＡサーバ１７０は、移動局１１０のサービス提供セクタについてのＢＳＡデータを返すことによって、Ｈ−ＰＤＥ１６０からの要求に応答してもよい。また、ＢＳＡサーバ１７０は、隣接セクタについてのＢＳＡデータを提供してもよく、これは、移動局１１０がこれらの隣接セクタのいずれかにハンドオフされる場合に有用であってもよい。Ｈ−ＰＤＥ１６０は、適切な支援データを移動局１１０に提供するために、ＢＳＡサーバ１７０から受信されたＢＳＡデータを使用してもよい。代わりに、Ｈ−ＰＤＥ１６０は、移動局１１０についての位置推定値を導出するためにＢＳＡデータを使用してもよく、当該位置推定値を移動局に提供してもよい。Ｈ−ＰＤＥ１６０は、ＢＳＡサーバ１７０から受信されたＢＳＡデータ、および、移動局１１０が現在位置する(located)領域についてのＷＡＲＮ１９２から受信された衛星参照情報、に基づいて、測位支援を移動局１１０に提供してもよい。
【００３１】
図３は、ＢＳＡサーバ１７０を使用したローミング中の移動局１１０の測位をサポートするためのメッセージフロー３００の設計を示す。移動局１１０は、ＩＳ−８０１位置決定データメッセージ(IS-801 Position Determination Data Message)をＨ−ＰＤＥ１６０へ送ってもよい（ステップＡ）。このメッセージは、（ｉ）移動局１１０の測位能力を示すＭＳ情報提供要素(Provide MS Information element)、（ｉｉ）ＳＩＤ、ＮＩＤ、およびＢＡＳＥ＿ＩＤなどのシステムパラメータ情報を含有するシステムパラメータ情報提供要素(Provide System Parameter Information element)、（ｉｉｉ）検出されたセクタについて移動局１１０によってなされたパイロットタイミングおよび／または信号強度の測定値を含有するパイロットフェーズ測定値提供要素(Provide Pilot Phase Measurement element)、（ｉｖ）ＧＰＳエフェメリスを要求するためのＧＰＳエフェメリス要求要素(Request GPS Ephemeris element)、および（ｖ）ＧＰＳアルマナックを要求するためのＧＰＳアルマナック要求要素、を含んでもよい。ＧＰＳアルマナックは、ＧＰＳの配列(GPS constellation)におけるすべての衛星の大まかな位置(coarse locations)に関する情報を含む。ＧＰＳエフェメリスは、地上のトラッキング局によってトラッキングおよび報告されるような、ＧＰＳ衛星軌道のより正確なバージョンを含む。
【００３２】
Ｈ−ＰＤＥ１６０は、移動局１１０から位置決定データメッセージを受信してもよく、システムパラメータ情報に基づいて移動局がローミングしていると決定してもよい。その後、Ｈ−ＰＤＥ１６０は、場所推定値要求要素(Request Location Estimate element)と支援データ要求要素(Request Assistance Data element)とを含有する要求メッセージを、ＢＳＡサーバ１７０へ送ってもよい（ステップＢ）。場所推定値要求要素は、要求されている異なる種類の情報（例えば、高度、ＧＰＳクロック補正、速度など）を含有するＬＯＣ＿ＲＥＣパラメータと、システムパラメータ情報を含有するＳＹＳＴＥＭ＿ＰＡＲＡＭパラメータと、パイロット情報（パイロットＰＮフェーズ、パイロット強度など）を含有するＰＰＭパラメータと、を含んでもよい。支援データ要求要素は、要求されている支援データの種類、この場合はＢＳＡを示すＡＳＳＴ＿ＴＹＰＥパラメータを含んでもよい。様々なメッセージ、要素、およびパラメータが、３ＧＰＰ２  Ｃ．Ｓ００２２における表題「デュアルモード拡散スペクトルシステムのための位置決定サービス規格(Position Determination Service Standard for Dual Mode Spread Spectrum Systems)」、２００１年２月１６日に記載されており、本文献はＩＳ−８０１を対象としており、公に入手可能である。
【００３３】
ＢＳＡサーバ１７０は、Ｈ−ＰＤＥ１６０から要求メッセージを受信してもよく、場所推定値提供要素(Provide Location Estimate element)と支援データ提供要素とを含有する応答メッセージを返してもよい（ステップＣ）。場所推定値提供要素は、大まかな位置推定値を含有するＬＯＣ＿ＥＳＴパラメータを含んでもよい。支援データ提供要素は、移動局１１０についてのＢＳＡデータを含有するＢＳＡパラメータを含んでもよい。Ｈ−ＰＤＥ１６０は、ＢＳＡデータをキャッシュして、当該ＢＳＡデータに基づいて、移動局１１０について適切なＧＰＳエフェメリスおよびＧＰＳアルマナックを決定してもよい（ステップＤ）。その後、Ｈ−ＰＤＥ１６０は、要求されたＧＰＳエフェメリスおよびＧＰＳアルマナックを移動局１１０に提供してもよい（ステップＥ）。
【００３４】
図４は、ＢＳＡサーバ１７０を使用してローミング中の移動局１１０の測位をサポートするためのメッセージフロー４００の設計を示す。移動局１１０は、Ｈ−ＰＤＥ１６０に対して、ＭＳ情報要素と、システムパラメータ情報要素と、パイロットフェーズ測定値提供要素(Provide Pilot Phase Measurement element)と、ＧＰＳ取得支援を要求するためのＧＰＳ取得支援要求要素(Request GPS Acquisition Assistance element)と、を含有するＩＳ−８０１位置決定データメッセージ(IS-801 Position Determination Data Message)を送ってもよい（ステップＡ）。Ｈ−ＰＤＥ１６０は、移動局１１０がローミングしていると決定し、そしてその後、場所推定値要求要素と、支援データ要求要素とを含有する要求メッセージをＢＳＡサーバ１７０へ送ってもよい（ステップＢ）。支援データ提供要素は、ＢＳＡデータが要求されていることを示すＡＳＳＴ＿ＴＹＰＥパラメータを含んでもよい。ＢＳＡサーバ１７０は、場所推定値提供要素と、支援データ提供要素とを含有する応答メッセージを返してもよい（ステップＣ）。支援データ提供要素は、移動局１１０についてのＢＳＡデータを含有するＢＳＡパラメータを含んでもよい。Ｈ−ＰＤＥ１６０は、ＢＳＡデータをキャッシュして、当該ＢＳＡデータに基づいて、適切なＧＰＳ取得支援データを決定してもよい（ステップＤ）。その後、Ｈ−ＰＤＥ１６０は、要求されたＧＰＳ取得支援データを移動局１１０に提供してもよい（ステップＥ）。
【００３５】
移動局１１０は、ＧＰＳ感度支援に対する要求をＨ−ＰＤＥ１６０へ送ってもよい（ステップＦ）。Ｈ−ＰＤＥ１６０は、キャッシュされたＢＳＡデータに基づいて、移動局１１０について適切なＧＰＳ感度支援データを決定してもよい（ステップＧ）。その後、Ｈ−ＰＤＥ１６０は、要求されたＧＰＳ感度支援データを移動局１１０に提供してもよい（ステップＨ）。
【００３６】
移動局１１０は、擬似距離測定値(pseudo-range measurement)（ＰＲＭ）と、パイロットフェーズ測定値と、時間オフセット測定値と、場所応答(location response)に対する要求とをＨ−ＰＤＥ１６０に提供してもよい（ステップＩ）。Ｈ−ＰＤＥ１６０は、キャッシュされたＢＳＡデータと、移動局１１０からの測定値とに基づいて、移動局１１０についての位置推定値を導出してもよい（ステップＪ）。その後、Ｈ−ＰＤＥ１６０は、位置推定値を含有する場所応答を返してもよい（ステップＫ）。
【００３７】
図３および図４は、ローミング中の移動局１１０の測位をサポートするための２つのメッセージフロー例を示す。測位をサポートするために、他のメッセージフローが使用されてもよい。一般に、Ｈ−ＰＤＥ１６０は、支援データを提供するように、位置推定値を導出するように、等を、移動局１１０によって要求されてもよい。Ｈ−ＰＤＥ１６０は、関連ＢＳＡデータがローカルＢＳＡにおいて利用可能でない場合には、このデータについてＢＳＡサーバ１７０をクエリしてもよい。その後、Ｈ−ＰＤＥ１６０は、要求された支援データ、位置推定値などを移動局１１０に提供してもよい。
【００３８】
Ｈ−ＰＤＥ１６０は、ホームネットワーク１０４について、ローミング中およびローミング中でない移動局をサポートしてもよい。Ｈ−ＰＤＥ１６０は、移動局１１０から測位支援に対する要求を受信してもよく、所望のＢＳＡデータがローカルＢＳＡにおいて利用可能かどうかを決定してもよい。Ｈ−ＰＤＥ１６０は、この決定を、移動局１１０によって提供されたシステムパラメータ情報に基づいて行ってもよい。一設計において、Ｈ−ＰＤＥ１６０は、ＢＳＡデータをＢＳＡサーバ１７０に要求できるＳＩＤｓの表を保持してもよい。移動局１１０からの各要求について、Ｈ−ＰＤＥ１６０は、要求内のＳＩＤを表にあるものと比較して、当該ＳＩＤが表にない場合には、ＢＳＡデータについてＢＳＡサーバ１７０をクエリしてもよい。Ｈ−ＰＤＥ１６０は、要求されたＢＳＡデータがＢＳＡサーバ１７０から到着するのを待ってもよく、当該ＢＳＡデータに基づいて、測位支援を移動局１１０に対して提供してもよい。
【００３９】
Ｈ−ＰＤＥ１６０は、図４に示すように、ＢＳＡサーバ１７０から受信されたＢＳＡデータを限られた期間キャッシュして、Ｈ−ＰＤＥ１６０がこのＢＳＡデータを必要があれば後で使用できるようにしてもよい。Ｈ−ＰＤＥ１６０は、古いＢＳＡデータ(stale BSA data)の使用を回避するために、キャッシュされたＢＳＡデータを当該限られた期間後に破棄してもよい。Ｈ−ＰＤＥ１６０はまた、別のネットワークのＢＳＡの重要な態様(important aspects)を可能とするかもしれない、いずれのオペレータアクセス可能なログにおけるいかなるデータ(any data in any operator-accessible log)をも、再構築されないように見えにくくする(obscure)こともできる。また、Ｈ−ＰＤＥ１６０は、いくつかまたはすべての位置推定値についての情報をＢＳＡサーバ１７０へ送り、ＢＳＡサーバが、ローミング中のＢＳＡ品質を監視し、ローミング中のＢＳＡ性能、自己学習の(self-learn)ローミング中のＢＳＡデータなどを計算および報告できるようにしてもよい。
【００４０】
Ｈ−ＰＤＥ１６０は、図３および図４に示すように、ＢＳＡデータをＢＳＡサーバ１７０から受信して、移動局１１０について適切な支援データを決定してもよい。支援データ（例えば、ＧＰＳエフェメリスおよびＧＰＳアルマナック）は、移動局１１０の現在位置に依存してもよい。Ｈ−ＰＤＥ１６０は、ホームネットワークサービスエリアおよびサポートされたすべてのローミング領域についての衛星参照情報（例えば、微分補正）をＷＡＲＮ１９２からから受信してもよい。Ｈ−ＰＤＥ１６０は、移動局１１０の現在位置に応じて、支援データについての適切な微分補正を適用してもよい。
【００４１】
一般に、ＢＳＡサーバ１７０は、いかなる数のネットワークからのいかなる数のＰＤＥｓに対してもサービス提供してもよい。ＢＳＡサーバ１７０およびＰＤＥｓは、例えばＴＣＰ／ＩＰなどのＩＰに基づくプロトコルまたはインターＰＤＥ  ＬＢＳローミングプロトコルなどのクエリ−応答型インターフェースなどといった、任意の適したＰＤＥ−サーバインターフェースを使用して通信してもよい。ＢＳＡサーバ１７０は、異なるネットワークオペレータのＰＤＥｓからＢＳＡデータを受信および記憶してもよい。これらのオペレータは、２００６年１０月１７日発行の米国特許第７１２３９２８号「位置決定のための基地局アルマナックを作成および使用するための方法および装置（Method and Apparatus for Creating and Using a Base Station Almanac for Position Determination）」に記載されたＢＳＡフォーマットタイプ２のような任意の適したＢＳＡファイルフォーマットのＢＳＡファイルを提供してもよい。ＢＳＡサーバ１７０は、ウェブに基づいたオペレータアクセスポータル、ＢＳＡファイルの自動セキュアＦＴＰファイル転送、ＰＤＥ−サーバインターフェース上でのＢＳＡの直接クエリなどをサポートしてもよい。
【００４２】
ＢＳＡサーバ１７０は、異なる参加ネットワーク間でのＢＳＡデータの共有を制御してもよい。ＢＳＡサーバ１７０は、独立した第三者によって動作されてもよく、ネットワークオペレータによって、それらのＢＳＡデータがどのように共有されるべきかが指示されてもよい。異なるオペレータ間でのＢＳＡデータの共有は、これらのオペレータ間の業務契約に依存してもよい。例えば、ＢＳＡサーバ１７０は、４つのネットワークＡ，Ｂ，Ｃ，およびＤのＢＳＡｓを受信してもよい。ＢＳＡサーバ１７０は、ネットワークＡがネットワークＣのＢＳＡのみにアクセスできるようにし、ネットワークＢがネットワークＣおよびＤのＢＳＡｓにアクセスできるようにし、ネットワークＣがネットワークＡ，Ｂ，およびＤのＢＳＡｓにアクセスできるようにし、ネットワークＤがネットワークＢおよびＣのＢＳＡｓにアクセスできるようにしてもよい。このように、ＢＳＡサーバ１７０は、どのネットワークが他のネットワークのどれからＢＳＡデータを受信できるかを制御してもよい。
【００４３】
また、異なるネットワーク間でのＢＳＡデータの共有は、規制的な手法に依存してもよい。例えば、ネットワークＡは、通常の動作ではネットワークＣのＢＳＡのみにアクセスできるが、緊急呼び出しではすべてのネットワークのＢＳＡｓにアクセスできてもよい。
【００４４】
ＢＳＡサーバ１７０は、所定のネットワークが他のネットワークのＢＳＡのすべてまたは一部分のみにアクセスできるようにしてもよい。上記の例では、ＢＳＡサーバ１７０は、ネットワークＢがネットワークＣのサービス区域の限られた部分およびネットワークＤの全サービス区域のみについてＢＳＡを受信することができるようにしてもよい。
【００４５】
また、ＢＳＡサーバ１７０は、ＢＳＡコンテンツフィルタリングを提供してもよい。例えば、ＢＳＡサーバ１７０は、ＰＤＥからの要求に応答して、未変更の完全な品質のデータまたは劣化されたＢＳＡデータのいずれかを提供してもよい。ＢＳＡデータは、例えば、セクタの中心または基地局に対してより不確実な位置を提供することによって劣化されてもよい。ＢＳＡサーバ１７０は、ＰＤＥにおいて示されるサービス提供セクタのみについて、または当該サービス提供セクタおよび隣接セクタについてのＢＳＡデータを提供してもよい。隣接セクタについてのＢＳＡデータが提供された場合、当該ＢＳＡデータは完全な品質か、またはその価値を低くするかまたはそのコンテンツをマスクするために劣化されてもよい。
【００４６】
他の態様においては、ＰＤＥｓは、ローミング中の移動局についての位置情報を提供するために互いに通信してもよい。一般に、位置情報は、移動局の測位のために使用される任意の情報であってもよく、ＢＳＡデータと、任意の種類の支援データ、位置推定値などを備えてもよい。一設計において、ＰＤＥは、ＰＤＥが位置情報を要求できるＳＩＤｓの表と、位置情報を要求するためのＰＤＥｓのアドレスとを保持してもよい。場所要求を移動局から受信すると、ＰＤＥは、場所要求内のＳＩＤを表にあるものと比較して、当該ＳＩＤが表内にある場合には、移動局についての位置情報を適切なＰＤＥに対して要求してもよい。
【００４７】
図５は、Ｖ−ＰＤＥ１４０を使用したローミング中の移動局１１０の測位をサポートする設計を示す。移動局１１０は、図２について上述したように、訪問先のネットワーク１０２を介してホームネットワーク１０４内のＨ−ＰＤＥ１６０と通信してもよい。移動局１１０は、位置サービスのためにＨ−ＭＰＣ１５８と通信してもよく、サービス提供セクタについてのシステムパラメータ情報（例えば、ＳＩＤ，ＮＩＤおよびＢＡＳＥ＿ＩＤ）を提供してもよい。Ｈ−ＭＰＣ１５８は、要求された位置サービスについて移動局１１０を許可し、移動局に対してサービス提供するためのＨ−ＰＤＥ１６０を選択し、Ｈ−ＰＤＥ１６０に対して移動局１１０についての測位セッションを受け付けるように要求してもよい。
【００４８】
その後、移動局１１０およびＨ−ＰＤＥ１６０は、移動局１１０の測位のための測位セッション（例えば、ＩＳ−８０１セッション）を行ってもよい。Ｈ−ＰＤＥ１６０は、移動局１１０についてのＳＩＤ，ＮＩＤおよびＢＡＳＥ＿ＩＤをＨ−ＭＰＣ１５８から受信してもよく、移動局１１０がローミング中であると決定してもよい。Ｈ−ＰＤＥ１６０は、所望のＢＳＡデータがローカルに利用可能でないと認識してもよく、Ｖ−ＰＤＥ１４０が移動局１１０についての位置情報を提供できると決定してもよい。その後、Ｈ−ＰＤＥ１６０は、移動局１１０についての位置情報を提供するためにＶ−ＰＤＥ１４０をクエリしてもよい。Ｈ−ＰＤＥ１６０は、通過中に位置情報が遮断されることを防止するために、セキュアなインターフェースを介してＶ−ＰＤＥ１４０と通信してもよい。Ｖ−ＰＤＥ１４０は、移動局１１０について要求された位置情報を返すことによって、Ｈ−ＰＤＥ１６０のクエリに応答してもよい。
【００４９】
一設計において、Ｖ−ＰＤＥ１４０は、サービス提供セクタおよび場合によっては隣接セクタについてのＢＳＡデータを提供してもよい。Ｈ−ＰＤＥ１６０は、要求された場合には、受信されたＢＳＡデータに基づいて移動局１１０に対する適切な支援データを決定してもよく、その後、当該支援データを移動局に提供してもよい。位置推定値が要求される場合には、Ｈ−ＰＤＥ１６０は、Ｖ−ＰＤＥ１４０から受信されたＢＳＡデータに基づいて移動局１１０についての位置推定値を導出してもよく、その後、当該位置推定値を移動局に提供してもよい。他の設計において、Ｖ−ＰＤＥ１４０は、移動局１１０によって送られてＨ−ＰＤＥ１６０によって転送された測定値を受信してもよく、移動局１１０についての支援データまたは位置推定値を提供してもよい。その後、Ｈ−ＰＤＥ１６０は、支援データまたは位置推定値を移動局１１０に転送してもよい。この設計において、Ｖ−ＰＤＥ１４０は、ＢＳＡデータをＨ−ＰＤＥ１６０へ送るのを回避することができ、これは、ＢＳＡデータがネットワークオペレータにとって固有の情報と見なされ得るので望ましい場合がある。
【００５０】
図６は、Ｖ−ＰＤＥ１４０を使用したローミング中の移動局１１０の測位をサポートするためのメッセージフロー６００の設計を示す。移動局１１０は、Ｈ−ＰＤＥ１６０に対して、ＧＰＳエフェメリスおよびＧＰＳアルマナックに対する要求を含む様々な情報要素を含有するＩＳ−８０１位置決定データメッセージ、を送ってもよい（ステップＡ）。Ｈ−ＰＤＥ１６０は、移動局１１０がローミング中であると決定してもよく、その後、要求メッセージをＶ−ＰＤＥ１４０へ送ってもよい（ステップＢ）。Ｖ−ＰＤＥ１４０は、場所推定値提供要素と、支援データ提供要素とを含有する応答メッセージを返してもよい（ステップＣ）。場所推定値提供要素は、大まかな位置推定値を含有するＬＯＣ＿ＥＳＴパラメータを含んでもよい。支援データ提供要素は、ＧＰＳエフェメリスを含有するＧＰＳ＿ＥＰＨＥＭＥＲＩＳパラメータと、ＧＰＳアルマナックを含有するＧＰＳ＿ＡＬＭＡＮＡＣパラメータとを含んでもよい。その後、Ｈ−ＰＤＥ１６０は、要求されたＧＰＳエフェメリスおよびＧＰＳアルマナックを移動局１１０に提供してもよい（ステップＤ）。
【００５１】
図７は、Ｖ−ＰＤＥ１４０を使用したローミング中の移動局１１０の測位をサポートするためのメッセージフロー７００の設計を示す。移動局１１０は、Ｈ−ＰＤＥ１６０に対して、ＧＰＳ取得支援に対する要求を含む様々な情報要素を含有するＩＳ−８０１位置決定データメッセージを送ってもよい（ステップＡ）。Ｈ−ＰＤＥ１６０は、移動局１１０がローミング中であると決定してもよく、そしてその後、要求メッセージをＶ−ＰＤＥ１４０へ送ってもよい（ステップＢ）。Ｖ−ＰＤＥ１４０は、場所推定値提供要素(Provide Location Estimate element)と、支援データ提供要素(Provide Assistance Data element)とを含有する応答メッセージを返してもよい（ステップＣ）。支援データ提供要素は、ＧＰＳ取得支援データを含有するＧＰＳ＿ＡＣＱ＿ＤＡＴＡパラメータを含んでもよい。その後、Ｈ−ＰＤＥ１６０は、要求されたＧＰＳ取得支援データを移動局１１０に提供してもよい（ステップＤ）。
【００５２】
移動局１１０は、ＧＰＳ感度支援に対する要求をＨ−ＰＤＥ１６０へ送信してもよい（ステップＥ）。その後、Ｈ−ＰＤＥ１６０は、支援データ要求要素を有する要求メッセージをＶ−ＰＤＥ１４０へ送ってもよい（ステップＦ）。Ｖ−ＰＤＥ１４０は、支援データ提供要素を有する応答メッセージを返してもよく、当該支援データ提供要素は、ＧＰＳ感度支援データを含有するＧＰＳ−ＳＥＮＳ＿ＤＡＴＡパラメータを含んでもよい（ステップＧ）。その後、Ｈ−ＰＤＥ１６０は、要求されたＧＰＳ感度支援データを移動局１１０に提供してもよい(ステップＨ）。
【００５３】
移動局１１０は、擬似距離測定値と、パイロットフェーズ測定値と、時間オフセット測定値と、Ｈ−ＰＤＥ１６０への場所応答に対する要求とを提供してもよい(ステップＩ）。その後、Ｈ−ＰＤＥ１６０は、Ｖ−ＰＤＥ１４０に対して、移動局から受信された情報を含有する場所推定値要求要素を有する要求メッセージを送ってもよい(ステップＪ）。Ｖ−ＰＤＥ１４０は、移動局１１０についての位置推定値を導出してもよく、位置推定値を含有する場所推定値提供要素を有する応答メッセージを返してもよい（ステップＫ）。その後、Ｈ−ＰＤＥ１６０は、位置推定値を含有する場所応答を移動局１１０へ送ってもよい（ステップＬ）。
【００５４】
図６および７は、Ｖ−ＰＤＥ１４０を使用したローミング中の移動局１１０の測位を支援するための２つのメッセージフロー例を示す。測位をサポートするために、他のメッセージフローが使用されてもよい。一般に、Ｈ−ＰＤＥ１６０は、ＢＳＡデータ、支援データ、位置推定値などの任意の位置情報について、移動局１１０によって要求されてもよい。Ｈ−ＰＤＥ１６０は、移動局１１０についてのＢＳＡデータがローカルに利用可能でない場合には、Ｖ−ＰＤＥ１４０をクエリしてもよい。Ｖ−ＰＤＥ１４０は、移動局１１０によって要求された位置情報を直接返してもよい。代わりに、Ｈ−ＰＤＥ１６０は、移動局１１０によって要求された位置情報を取得するために、Ｖ−ＰＤＥ１４０から受信された情報を処理してもよい。いずれにしても、Ｈ−ＰＤＥ１６０は、要求された位置情報を移動局１１０へ返してもよい。
【００５５】
図６および図７に示すように、Ｈ−ＰＤＥ１６０は、トランザクションに基づいたサービスについてＶ−ＰＤＥ１４０と通信してもよい。Ｈ−ＰＤＥ１６０によって送られた要求とＶ−ＰＤＥ１４０によって送られた応答との各組は、１つのトランザクションとみなされてもよい。一般に、トランザクションは、ＢＳＡデータ、特定の種類の支援データ、大まかな位置推定値、正確な位置推定値などについてのものであってもよい。Ｖ−ＰＤＥ１４０は、状態情報を保持する必要なく、各要求に対して独立してサービス提供してもよい。
【００５６】
一般に、Ｈ−ＰＤＥ１６０およびＶ−ＰＤＥ１４０は、例えばインターＰＤＥ  ＬＢＳローミングプロトコルなどのクエリ−応答型インターフェースなどといった、任意の適したＰＤＥ−ＰＤＥインターフェースを使用して通信してもよい。Ｖ−ＰＤＥ１４０は、他のＰＤＥｓからのクエリをサポートするために、ＢＳＡサーバ１７０についての上記機能を実装してもよい。例えば、Ｖ−ＰＤＥ１４０は、そのＢＳＡデータまたは支援データを他のネットワーク内のＰＤＥｓと共有することを、業務契約や規制的な手法などに基づいて制御してもよい。また、Ｖ−ＰＤＥ１４０は、ＢＳＡコンテンツフィルタリングを提供してもよく、完全な品質および／または劣化されたＢＳＡデータを要求元ＰＤＥｓに提供してもよい。
【００５７】
さらに他の態様においては、ＰＤＥは、自身のネットワークについてＢＳＡデータに加えて、他のネットワークについてのＢＳＡデータを受信および記憶してもよい。これにより、ＰＤＥが、他のＰＤＥまたはＢＳＡサーバ１７０と通信することなく、測位を完全に処理することもできるようになる。
【００５８】
さらに他の設計において、ローミング移動局１１０の測位は、測位メッセージ（例えば、ＩＳ−８０１メッセージ）をＨ−ＰＤＥ１６０からＶ−ＰＤＥ１４０へ転送することによってサポートされる。移動局１１０は、上述のように、その現在の場所に関わらず、Ｈ−ＰＤＥ１６０に帰ってもよい。Ｈ−ＰＤＥ１６０は、例えば移動局１１０によって提供されたＳＩＤおよびＮＩＤに基づいて、移動局１１０がローミングしていると決定してもよい。その後、Ｈ−ＰＤＥ１６０は、測位メッセージを、測位について移動局１１０に対してサービス提供可能な適切なＶ−ＰＤＥへ転送してもよい。
【００５９】
図８は、ＩＳ−８０１メッセージ転送を使用したローミング中の移動局１１０の測位をサポートするためのメッセージフロー８００の設計を示す。最初に、移動局１１０は、データセッションをＰＤＳＮ／ＨＡ１５０で設定するために、モバイルＩＰデータ呼設定を行ってもよい。この呼設定は、ホームネットワーク１０４内のＰＤＳＮ／ＨＡ１５０および訪問先のネットワーク１０２内のＰＤＳＮ／ＦＡ１３０とのモバイルＩＰネゴシエーションおよびＰＰＰネゴシエーションを行うことを含んでもよい。その後、移動局１１０は、測位層(positioning layer)について、Ｈ−ＰＤＥ１６０とシグナリングをやり取りしてもよい。これは、ＴＣＰ／ＩＰソケットをＨ−ＰＤＥ１６０で設定することと、ＩＳ−８０１セッションをＨ−ＰＤＥで開始することとを含んでもよい。
【００６０】
その後、移動局１１０は、ＩＳ−８０１メッセージをＨ−ＰＤＥ１６０とやり取りしてもよく、Ｈ−ＰＤＥ１６０は、移動局によって提供されたＳＩＤおよびＮＩＤに基づいて、移動局１１０がローミングしていることを検出してもよい。その後、Ｈ−ＰＤＥ１６０は、移動局１１０とＶ−ＰＤＥ１４０との間でやり取りされたＩＳ−８０１メッセージを、例えばＨ−ＰＤＥとＶ−ＰＤＥとの間のセキュアな接続における非永続的なＴＣＰ／ＩＰソケット上で転送してもよい。
【００６１】
図９は、移動局の測位をサポートするためにＨ−ＰＤＥによって行われる処理９００の設計を示す。Ｈ−ＰＤＥは、ホームネットワークについての測位をサポートする任意のネットワークエンティティであってもよい。Ｈ−ＰＤＥは、測位支援に対する第１の要求を、訪問先のネットワークと通信する移動局から受信してもよい（ブロック９１２）。Ｈ−ＰＤＥは、移動局に適用可能なＢＳＡデータがホームネットワークにおいてローカルに利用可能でないと決定してもよい（ブロック９１４）。Ｈ−ＰＤＥは、移動局についての位置情報に対する第２の要求を、指定されたネットワークエンティティへ送ってもよい（ブロック９１６）。Ｈ−ＰＤＥは、移動局についての位置情報を指定されたネットワークエンティティから受信してもよい(ブロック９１８)。受信された位置情報は、移動局についてのＢＳＡデータ、ＳＰＳ支援データ、および／または位置推定値を備えてもよい。その後、Ｈ−ＰＤＥは、受信された位置情報に基づいて、測位支援を移動局に提供してもよい（ブロック９２０）。
【００６２】
Ｈ−ＰＤＥは、移動局からの第１の要求内にあるシステムパラメータ情報を受信してもよい。システムパラメータ情報は、訪問先のネットワークのＳＩＤおよびＮＩＤを備えてもよい。Ｈ−ＰＤＥは、システムパラメータ情報に基づいて、移動局についてのＢＳＡデータがローカルに利用可能でないと決定してもよい。
【００６３】
指定されたネットワークエンティティは、訪問先のネットワークを含む複数のネットワークについてのＢＳＡデータを記憶するＢＳＡサーバであってもよい。Ｈ−ＰＤＥは、ＢＳＡデータがＢＳＡサーバから利用可能であるＳＩＤｓの表を記憶してもよい。Ｈ−ＰＤＥは、このＳＩＤｓの表に基づいて、移動局についてのＢＳＡデータがローカルに利用可能でないと決定してもよい。その後、Ｈ−ＰＤＥは、移動局についてのＢＳＡデータに対する上記第２の要求をＢＳＡサーバへ送ってもよい。
【００６４】
指定されたネットワークエンティティは、訪問先のネットワークについてのＶ−ＰＤＥあってもよい。Ｈ−ＰＤＥは、ＢＳＡデータが利用可能でないＳＩＤｓおよび位置情報が達成可能なＰＤＥsの表を記憶してもよい。Ｈ−ＰＤＥは、このテーブルに基づいて、移動局についてのＢＳＡデータがローカルに利用可能でないと決定してもよく、また、当該テーブルに基づいて、第２の要求を送るためにＶ−ＰＤＥを決定してもよい。Ｈ−ＰＤＥは、第２の要求をＶ−ＰＤＥへ送ってもよく、当該Ｖ−ＰＤＥは、例えば図６および図７に示すように、移動局についてのＢＳＡデータ、支援データ、および／または位置推定値を返してもよい。また、Ｈ−ＰＤＥは、第１の要求を第２の要求としてＶ−ＰＤＥへ転送し、例えば図８に示すように、Ｖ−ＰＤＥから受信された位置情報を移動局へ転送してもよい。
【００６５】
Ｈ−ＰＤＥは、第２の要求における移動局のサービス提供セクタについての情報を提供してもよい。その後、Ｈ−ＰＤＥは、（ｉ）サービス提供セクタのみについてのＢＳＡデータ、（ｉｉ）サービス提供セクタと少なくとも１つの隣接セクタについてのＢＳＡデータ、（ｉｉｉ）移動局についてのＳＰＳ支援データ、および／または（ｉｖ）指定されたネットワークエンティティからの何らかの他の位置情報を受信してもよい。また、Ｈ−ＰＤＥは、移動局から少なくとも１つのセクタについての少なくとも１つの測定値を受信してもよい。Ｈ−ＰＤＥは、第２の要求内に（単数または複数の）測定値を送り、指定されたネットワークエンティティから移動局についての位置推定値を受信し、当該位置推定値を移動局へ提供してもよい。代わりに、Ｈ−ＰＤＥは、指定されたネットワークエンティティから移動局についてのＢＳＡデータを受信し、（単数または複数の）測定値と受信されたＢＳＡデータとに基づいて移動局についての位置推定値を決定し、当該位置推定値を移動局に提供してもよい。
【００６６】
図１０は、移動局の測位をサポートするためにＢＳＡサーバによって行われる処理１０００の設計を示す。ＢＳＡサーバは、複数のネットワークから、例えば定期的またはＢＳＡデータがこれらのネットワークによって更新される度に、ＢＳＡデータを受信してもよい（ブロック１０１２）。また、ＢＳＡサーバは、複数の各ネットワークからＢＳＡデータを取得することが許可されているのはどのネットワークかを示す構成情報を受信してもよい（ブロック１０１４）。ＢＳＡサーバは、複数のネットワーク内のＰＤＥｓからＢＳＡデータに対する要求を受信してもよい（ブロック１０１４）。各ＰＤＥは、１つのネットワークにサービス提供してもよく、当該ＰＤＥによってサービス提供されていない他のネットワークのＢＳＡデータに対する要求を送ってもよい。ＢＳＡサーバは、構成情報に基づいて、各ＰＤＥ要求が許可されているかを決定してもよい（ブロック１０１６）。ＢＳＡサーバは、許可された要求に対してＰＤＥｓへＢＳＡデータを返してもよい（ブロック１０１８）。
【００６７】
所定のＰＤＥ要求について、ＢＳＡサーバは、ＰＤＥから、移動局のサービス提供セクタについての情報（例えば、ＳＩＤ、ＮＩＤ、およびＢＡＳＥ＿ＩＤ）を受信してもよい。その後、ＢＳＡサーバは、当該サービス提供セクタについての情報に基づいて、移動局に適用可能なＢＳＡデータを決定してもよく、ＰＤＥに対してＢＳＡデータを返してもよい。返されたＢＳＡデータは、サービス提供セクタだけについてのもの、またはサービス提供セクタおよび隣接セクタについてのものであってもよい。ＢＳＡサーバは、ＰＤＥに適用可能な構成情報に基づいて、未変更のＢＳＡデータ（ネットワークから受信されたままのデータ）または劣化されたＢＳＡデータ（例えば、より不確実なセクタの中心(sector center)または基地局位置(base station position)）をＰＤＥに提供してもよい。
【００６８】
図１１は、移動局の測位をサポートするためにＶ−ＰＤＥによって行われる処理１１００の設計を示す。Ｖ−ＰＤＥは、訪問先のネットワークにおける測位をサポートする任意のネットワークエンティティであってもよい。Ｖ−ＰＤＥは、訪問先のネットワークと通信している移動局についての位置情報に対する要求を受信してもよい（ブロック１１１２）。移動局に適用可能なＢＳＡデータがホームネットワークにおいてローカルに利用可能でないと決定されたことに応じて、Ｈ−ＰＤＥによって要求が送られてもよい。Ｖ−ＰＤＥは、移動局についての位置情報をＨ−ＰＤＥへ送ってもよい(ブロック１１１４）。位置情報は、ＢＳＡデータ、ＳＰＳ支援データ、および／または移動局についての位置推定値を備えてもよい。トランザクションベースサービスについては、Ｖ−ＰＤＥは、Ｈ−ＰＤＥからの各要求を別個のトランザクションとして処理してもよい。ＩＳ−８０１転送については、位置情報に対する要求は、移動局によってＨ−ＰＤＥへ送られ、Ｈ−ＰＤＥによってＶ−ＰＤＥへ転送されてもよい。位置情報は、Ｈ−ＰＤＥへ送られ、移動局へ転送されてもよい。
【００６９】
図１２は、移動局によって行われる処理１２００の設計を示す。移動局は、ローミングしてもよく、無線接続を介して訪問先のネットワークと通信してもよい（ブロック１２１２）。移動局は、測位支援に対する要求をホームネットワーク内のＨ−ＰＤＥへ送ってもよい（ブロック１２１４）。移動局は、移動局に適用可能なＢＳＡデータがホームネットワークにおいてローカルに利用可能でない場合に、Ｈ−ＰＤＥによって取得された位置情報に基づいて、Ｈ−ＰＤＥによって提供された測位支援を指定されたネットワークエンティティから受信してもよい（ブロック１２１６）。移動局は、訪問先のネットワーク内のサービス提供セルからシステムパラメータ情報を受信してもよく、Ｈ−ＰＤＥへ送られた要求内にこの情報を含めてもよい。Ｈ−ＰＤＥは、システムパラメータ情報を使用して、移動局についてのＢＳＡデータがローカルで利用可能でないと決定してもよい。Ｈ−ＰＤＥは、上述のように、ＢＳＡデータ、ＳＰＳ支援データ、および／または位置推定値を移動局に提供してもよい。
【００７０】
図１３は、移動局１１０、ＲＡＮ１２０、Ｖ−ＰＤＥ１４０、Ｈ−ＰＤＥ１６０、およびＢＳＡサーバ１７０のブロック図を示す。簡略化のために、図１３は、（ｉ）移動局１１０について、１つのコントローラ／プロセッサ１３１０、１つのメモリ１３１２、および１つの送信器／受信器(transmitter/receiver)（ＴＭＴＲ／ＲＣＶＲ）１３１４と、（ｉｉ）ＲＡＮ１２０について、１つのコントローラ／プロセッサ１３２０、１つのメモリ１３２２、１つの送信器／受信器１３２４、および１つの通信(Communication)（Ｃｏｍｍ）ユニット１３２６と、（ｉｉｉ）Ｖ−ＰＤＥ１４０について、１つのコントローラ／プロセッサ１３４０、１つのメモリ１３４２、および１つの通信ユニット１３４４と、（ｉｖ）Ｈ−ＰＤＥ１６０について、１つのコントローラ／プロセッサ１３５０、１つのメモリ１３５２、および１つの通信ユニット１３５４と、（ｖ）ＢＳＡサーバ１７０について、１つのコントローラ／プロセッサ１３６０、１つのメモリ１３６２、および１つの通信ユニット１３６４とを示す。一般に、各エンティティは、任意の数のコントローラ、プロセッサ、メモリ、トランシーバ、通信ユニットなどを含んでもよい。
【００７１】
ダウンリンク上で、ＲＡＮ１２０内の基地局は、トラフィックデータ、メッセージ／シグナリング、およびパイロットを、そのサービスエリア内の移動局へ送信する。これらの様々な種類のデータは、プロセッサ１３２０によって処理され、トランスミッタ１３２４によって調整されて、ダウンリンク信号を生成し、当該ダウンリンク信号は、アンテナを介して送信される。移動局１１０において、基地局からのダウンリンク信号は、アンテナを介して受信され、受信器１３１４によって調整され、プロセッサ１３１０によって処理されて、測位(positioning)、場所(location)、およびその他のサービスのための様々な種類の情報を取得する。例えば、プロセッサ１３１０は、上述のメッセージフローのために使用されるメッセージを復号してもよい。また、プロセッサ１３１０は、測位のために図１２における処理１２００を行ってもよい。メモリ１３１２および１３２２は、それぞれ、移動局１１０およびＲＡＮ１２０についてのプログラムコードおよびデータを記憶する。アップリンクにおいて、移動局１１０は、トラフィックデータ、メッセージ／シグナリング、およびパイロットをＲＡＮ１２０内の基地局へ送信してもよい。これらの様々な種類のデータは、プロセッサ１３１０によって処理され、送信器１３１４によって調整されて、アップリンク信号を生成し、当該アップリンク信号は、移動局アンテナを介して送信される。ＲＡＮ１２０において、移動局１１０および他の移動局からのアップリンク信号は、受信器１３２４によって受信および調整されて、プロセッサ１３２０によってさらに処理されて、例えばデータ、メッセージ／シグナリングなどの様々な種類の情報を取得する。ＲＡＮ１２０は、通信ユニット１３２６を介して他のネットワークエンティティと通信してもよい。
【００７２】
Ｖ−ＰＤＥ１４０内では、プロセッサ１３４０は、Ｖ−ＰＤＥについての場所および／または測位の処理(location and/or positioning processing)を行い、メモリ１３４２は、Ｖ−ＰＤＥのためのプログラムコードおよびデータを保存し、通信ユニット１３４４は、Ｖ−ＰＤＥが他のエンティティと通信することができるようにする。プロセッサ１３４０は、上述のメッセージフロー内のＶ−ＰＤＥ１４０のための処理を行ってもよく、図１１における処理１１００をも行ってもよい。Ｈ−ＰＤＥ１６０内では、プロセッサ１３５０は、Ｈ−ＰＤＥについての場所および／または測位の処理を行い、メモリ１３５２は、Ｈ−ＰＤＥのためのプログラムコードおよびデータを保存し、通信ユニット１３５４は、Ｈ−ＰＤＥが他のエンティティと通信することができるようにする。プロセッサ１３５０は、上述のメッセージフロー内のＨ−ＰＤＥ１６０のための処理を行ってもよく、図９における処理９００をも行ってもよい。ＢＳＡサーバ１７０内では、プロセッサ１３６０は、ＢＳＡサーバについての処理を行い、メモリ１３６２は、ＢＳＡサーバのためのプログラムコードおよびデータを保存し、通信ユニット１３６４は、ＢＳＡサーバが他のエンティティと通信することができるようにする。プロセッサ１３６０は、上述のメッセージフロー内のＢＳＡサーバ１７０のための処理を行ってもよく、図１０における処理１０００をも行ってもよい。
【００７３】
ここにおいて説明された技術は、様々な手段によって実施されてもよい。例えば、これらの手法は、ハードウェア、ファームウェア、ソフトウェア、またはそれらの組み合わせで実施されてもよい。ハードウェアによる実施では、各エンティティ（例えば、移動局１１０、Ｖ−ＰＤＥ１４０、Ｈ−ＰＤＥ１６０、ＢＳＡサーバ１７０など）において当該手法を行うために使用される処理ユニットは、１つ以上の特定用途向け集積回路(application specific integrated circuits)（ＡＳＩＣｓ）、デジタル信号プロセッサ(digital signal processors)（ＤＳＰｓ）,デジタル信号処理装置(digital signal processing devices)（ＤＳＰＤｓ）、プログラマブル論理装置(programmable logic devices)（ＰＬＤｓ）、フィールドプログラマブルゲートアレイ(field programmable gate arrays)（ＦＰＧＡｓ）、プロセッサ、コントローラ、マイクロコントローラ、マイクロプロセッサ、電子装置、ここにおいて説明された機能を行うために設計された他の電子ユニット、コンピュータ、またはそれらの組み合わせ内で実施されてもよい。
【００７４】
ファームウェアおよび／またはソフトウェアの実施については、本手法は、ここに記載の機能を実行するモジュール（例えば、手順、機能など）で実施されてもよい。ファームウェアおよび／またはソフトウェア命令／コードは、メモリ（例えば、図１３におけるメモリ１３１２,１３４２,１３５２,または１３６２）に記憶されてもよく、プロセッサ（例えば、プロセッサ１３１０,１３４０,１３５０,または１３６０）によって実行されてもよい。メモリは、プロセッサ内部またはプロセッサ外部において実装されてもよい。ファームウェアおよび／またはソフトウェア命令／コードは、ランダムアクセスメモリ(random access memory)（ＲＡＭ）、読み出し専用メモリ(read-only memory)（ＲＯＭ）、不揮発性ランダムアクセスメモリ(non-volatile random access memory)（ＮＶＲＡＭ）、プログラム可能読み出し専用メモリ(programmable read-only memory)（ＰＲＯＭ）、電気的消去可能ＰＲＯＭ(electrically erasable PROM)（ＥＥＰＲＯＭ）、フラッシュメモリ、フロッピー（登録商標）ディスク、コンパクトディスク(compact disk)（ＣＤ）、デジタル多用途ディスク(digital versatile disc)（ＤＶＤ）、磁気または光学式データ記憶装置などのコンピュータ／プロセッサ読み出し可能な媒体に記憶されてもよい。命令／コードは、１つ以上のプロセッサによって実行可能であってもよく、（単数または複数の）プロセッサに、ここに記載された機能のある態様を実行させることができる。
【００７５】
本開示の上記説明は、当業者が本開示物を作りまたは使用することができるようにするために提供される。本開示に対する様々な修正は、当業者にとって容易に明らかであろう。また、ここに定義された包括的な原理は、本開示の精神または範囲から逸脱することなく他の変形に対して適用されることができる。したがって、本開示は、ここに開示された例および設計に限定されるように意図されておらず、ここに開示された原理および新規な特徴と整合性のある最も広い範囲が与えられべきものである。
【図１】
2010502133.tif 000004
【図２】
2010502133.tif 000005
【図３】
2010502133.tif 000006
【図４】
2010502133.tif 000007
【図５】
2010502133.tif 000008
【図６】
2010502133.tif 000009
【図７】
2010502133.tif 000010
【図８】
2010502133.tif 000011
【図９】
2010502133.tif 000012
【図１０】
2010502133.tif 000013
【図１１】
2010502133.tif 000014
【図１２】
2010502133.tif 000015
【図１３】
2010502133.tif 000016
【国際調査報告】
2010502133.tif 000017
2010502133.tif 000018
2010502133.tif 000019
2010502133.tif 000020
2010502133.tif 000021